(57)【要約】【課題】ウランペレットが内部に装填されるまで保管中の被覆管用に、簡単な構造でかつシール機能を有する仮端栓を提供する。【解決手段】燃料棒の被覆管内に嵌合して挿入される胴部と、被覆管側はその開口端面に密接し反被覆管側は掴み難い形状をなす鍔とを有し、専用の鍵で被覆管から取外される仮端栓であって、前記鍔の反被覆管側の中央部に断面が直方形の鍵穴があり、該鍵穴の奥には前記鍵穴の断面の形状に適合して挿入された鍵の先端部を引掛るために、鍵穴内にある軸を中心として鍵の先端部が回転可能な奥の部屋が形成されていることを特徴とする仮端栓。【選択図】図１
2006258691.tif 000002
【特許請求の範囲】
【請求項１】
燃料棒の被覆管内に嵌合して挿入される胴部と、被覆管側はその開口端面に密接し反被覆管側は掴み難い形状をなす鍔とを有し、専用の鍵で被覆管から取外される仮端栓であって、
前記鍔の反被覆管側の中央部に断面が直方形の鍵穴があり、該鍵穴の奥には前記鍵穴の断面の形状に適合して挿入された鍵の先端部を引掛るために、鍵穴内にある軸を中心として鍵の先端部が回転可能な奥の部屋が形成されていることを特徴とする仮端栓。
【請求項２】
燃料棒の被覆管内に嵌合して挿入される胴部と、被覆管側はその開口端面に密接し反被覆管側は掴み難い形状をなす鍔とを有し、専用の鍵で被覆管から取外される仮端栓であって、
前記鍔の反被覆管側の中央部に断面が直方形の鍵穴があり、
前記鍵穴には、途中の部屋と奥の部屋が形成されており、
前記途中の部屋は、鍵を差込まれた際に鍵の先端による押圧により奥の部屋に不可逆的に押込まれる鍵差込時抵抗用物体が置かれており、
前記奥の部屋は、鍵が差込まれた時に押込まれた前記鍵差込時抵抗用物体を格納し、さらにその格納状態で前記鍵穴の断面の形状に適合して挿入された鍵の先端部を引掛るために、鍵穴内にある軸を中心として鍵の先端部が回転可能であるように形成されていることを特徴とする仮端栓。
【請求項３】
前記鍵穴に、封印シールが貼られていることを特徴とする請求項１または請求項２に記載の仮端栓。
【請求項４】
引掛け部と軸と握り部とを有し、請求項１ないし請求項３のいずれかに記載の仮端栓を、その内部の奥の部屋に引掛け部を引掛けて、被覆管から取外すための鍵であって、
引掛け部は、長方形の板よりなり、
軸は、前記引掛け部の中心に立設されかつ軸の長さ方向に直交する断面は前記引掛け部がなす長方形の短辺が作る円内に入り、
握り部は、操作者が鍵全体を把持して操作可能とするべく前記鍵に接続されていることを特徴とする鍵。
【請求項５】
燃料棒の被覆管内に嵌合して挿入される胴部と、被覆管側はその開口端面に密接し反被覆管側は掴み難い形状をなす鍔とを有する仮端栓であって、
前記鍔の反被覆管側の中央部に、軟質の材料からなる筒型のつかみ部が取付けられていることを特徴とする仮端栓。
【発明の詳細な説明】
【技術分野】
【０００１】
本発明は原子炉の燃料棒の被覆管の仮端栓に関し、特に第三者の故意や過失によって不必要な取外しがなされたことが管理者に判る被覆管用の仮端栓に関する。
【背景技術】
【０００２】
海外での生産や加工のごとく他のメーカーに生産や加工を委託する場合には、委託者は自分が調達した原料や半製品を委託先に支給し、委託先ではそれらの支給品を使用して委託された生産や加工を行うことがある。
【０００３】
原子炉の燃料棒の海外への委託加工においては、委託者は燃料棒の被覆管（ジルカロイ管そのもの。以下、単に「被覆管」と記載する）を自分で調達し、さらに被覆管の下部（原子炉に装荷した状態で下方になる側。後に出てくる上部は、その逆の側）の開口には端栓を溶接で取付け、上部の開口には仮の端栓（以下、「仮端栓」と記す）を嵌め込んで（正確には、仮端栓のバネ部を嵌め込むが、煩雑となるので仮端栓を嵌め込むと記載する）取付けた状態で委託先のメーカーに支給し、委託先では仮端栓を取除いた後被覆管内にウラン（燃料）ペレットを挿入し、ばねを取付ける等の処理をした後、上部の開口に端栓を溶接で取付けることがなされている。
【０００４】
なお、燃料棒の上部の開口に仮端栓を取付けておくことは、海外へ生産や加工を委託する場合に限らず、下部端栓と上部端栓を取付ける工場やメーカーが相違する場合や、下部端栓を取付けた状態で工場内にしばらく保管しておく場合にも行われている。
【発明の開示】
【発明が解決しようとする課題】
【０００５】
しかしながら、仮端栓はいわゆるシール機能が付されていない。
即ち、第三者が故意や過失で仮端栓を被覆管から引抜き（以下、このことを「取外し」と記す）、しかる後再度元のように取付けていても、管理者にはそのことが判らない。それどころか、最悪の場合には、管理者が第三者により内部に傷が付けられたり異物を投入されたりしていることに気がつかないまま燃料棒の製造がなされる危険性があり得る。
【０００６】
また、それほどでなくても、仮端栓の取外しで、水分の混入を極度に嫌う被覆管内に湿った空気が浸入して管壁が腐食する等の悪影響を受け、管理者がそのことに気付かず何等の対策も施さなかったため、原子炉の運転中に燃料棒に不具合が発生する危険性も全くないとは言えない。
その対策として、仮端栓を取外し難い構造としたり、複雑高価な構造としたりすることもできない。
このため、ウランペレットが内部に装填されるまで保管中の被覆管用に、簡単な構造でかつシール機能を有する仮端栓の開発が望まれていた。
【課題を解決するための手段】
【０００７】
本発明は、以上の課題を解決することを目的としてなされたものであり、専用の工具を使用しない限り仮端栓を被覆管から取外せない構造としたり、一旦取外せば所定の部分が変形したりするため取外したことが管理者に判る構造にしたものである。即ち、仮端栓に、いわゆるシール機能を持たせたものである。
以下、各請求項の発明を説明する。
【０００８】
請求項１に記載の発明は、燃料棒の被覆管内に嵌合して挿入される胴部と、被覆管側はその開口端面に密接し反被覆管側は掴み難い形状をなす鍔とを有し、専用の鍵で被覆管から取外される仮端栓であって、
前記鍔の反被覆管側の中央部に断面が直方形の鍵穴があり、該鍵穴の奥には前記鍵穴の断面の形状に適合して挿入された鍵の先端部を引掛るために、鍵穴内にある軸を中心として鍵の先端部が回転可能な奥の部屋が形成されていることを特徴とする仮端栓である。
【０００９】
本請求項の発明においては、仮端栓の反被覆管側は球面の一部等の掴み難い形状であり、被覆管から取外すために手でつまんだりペンチやニッパ等の工具でつまんだりすることが出来ない。このため、取外すためには、鍵穴の形状、寸法に適合した専用の道具、即ち鍵が必要となる。この結果、鍵を有しない第三者が、管理者に無断で仮端栓を被覆管から取外すことは困難となる。
また、管理者（含む、正当な作業者）による鍵を使用した取外しでは、引抜きであるため仮端栓と被覆管は何等の損傷を受けない。このため、再度仮端栓を取付けることが可能になる。
また、鍔の被覆管側は被覆管の開口端面に密接することにより、被覆管の過度の挿入が防止される。
なおここに「嵌合」とは、寸法がぴったりと合うことの他に、冷やし嵌め、気密の保持を兼ねての接着剤の併用、胴部外周を弾性体として被覆管内壁面とで押圧力が作用するようにしていることをも含む。
なおまた、「掴み難い形状」とは、平坦はもとより被覆管側に凹んでいるような形状をも含む。
【００１０】
請求項２に記載の発明は、燃料棒の被覆管内に嵌合して挿入される胴部と、被覆管側はその開口端面に密接し反被覆管側は掴み難い形状をなす鍔とを有し、専用の鍵で被覆管から取外される仮端栓であって、
前記鍔の反被覆管側の中央部に断面が直方形の鍵穴があり、
前記鍵穴には、途中の部屋と奥の部屋が形成されており、
前記途中の部屋は、鍵を差込まれた際に鍵の先端による押圧により奥の部屋に不可逆的に押込まれる鍵差込時抵抗用物体が置かれており、
前記奥の部屋は、鍵が差込まれた時に押込まれた前記鍵差込時抵抗用物体を格納し、さらにその格納状態で前記鍵穴の断面の形状に適合して挿入された鍵の先端部を引掛るために、鍵穴内にある軸を中心として鍵の先端部が回転可能であるように形成されていることを特徴とする仮端栓である。
【００１１】
本請求項の発明においては、鍵を不正に取得したり模倣して製造したりした第三者によって鍵が一度でも鍵穴内に差込まれれば、途中の部屋に置かれている鍵差込時抵抗用物体または仮端栓のいずれか、あるいは両方が鍵の先端部からの押圧力で弾性変形し、これにより鍵差込時抵抗用物体が不可逆的に奥の部屋に押込まれる。このため、管理者が仮端栓を取外すときには、鍵は何等の抵抗を受けずにスムーズに差込むことができることとなる。その結果、管理者は、既に第三者による仮端栓の不正な取外しがなされていたり、なされようとしていたことに気がつく。
なお、弾性変形により不可逆的に押込まれるようにするためには、例えば仮端栓をポリエチレン製とし、鍵差込時抵抗用物体はステンレス製とする、あるいはその逆とすればよい。また、仮端栓の構造は複雑になるが、奥の部屋に押込まれた鍵差込時抵抗用物体を、管理者が元置かれていた途中の部屋に再度置きなおすことが可能なようにしていてもよい。
【００１２】
請求項３に記載の発明は、前記の仮端栓であって、前記鍵穴に、封印シールが貼られていることを特徴とする仮端栓である。
【００１３】
本請求項の発明においては、鍵穴に鍵を一度でも差込めば封印シールが壊れたり、接着剤が鍵穴の周辺に貼りついたままとなったりする。その結果、管理者は、既に第三者による仮端栓の不正な取外しがなされていたり、なされようとしていたことに気がつく。
なお、封印シールは安価であり、また貼り付けは簡単な作業である。このため、本請求項の発明では、短時間で多数の被覆管の仮端栓にシール機能を持たせることが可能になる。
さらに、管理者による取外し後、管理者が再度封印シールを貼り付け、改めてシール機能を持たせることも出来る。
またこれらの際、封印シールを管理者のサインが印刷された特注品等として、シール機能をより強化していてもよい。
【００１４】
請求項４に記載の発明は、引掛け部と軸と握り部とを有し、前記いずれかに記載の仮端栓を、その内部の奥の部屋に引掛け部を引掛けて被覆管から取外すための鍵であって、
引掛け部は、長方形の板よりなり、
軸は、前記引掛け部の中心に立設されかつ軸の長さ方向に直交する断面は前記引掛け部がなす長方形の短辺が作る円内に入り、
握り部は、操作者が鍵全体を把持して操作可能とするべく前記鍵に接続されていることを特徴とする鍵である。
【００１５】
本請求項の発明においては、仮端栓を被覆管から取外す専用の道具としての鍵は、その先端が仮端栓の鍵穴の形状に適合した引掛け部となっており、この引掛け部を鍵穴に差込んで９０度ほど回転させて仮端栓の奥の部屋の天井に引掛け、ひっぱって仮端栓を被覆管から引抜いて取外すこととなる。
なお、「長方形」とは、引掛けることが可能な限り、頂点部分に丸みがあったり、鍵穴との照合性を一層困難として第三者の模倣による製造を困難にするために、鍵穴の断面形状と整合しての凹凸が長辺に形成されていること等をも含む。
また、「引掛ける」とは、鍵を引けば仮端栓に引抜き力が作用するようになることを差す。
【００１６】
請求項５に記載の発明は、燃料棒の被覆管内に嵌合して挿入される胴部と、被覆管側はその開口端面に密接し反被覆管側は掴み難い形状をなす鍔とを有する仮端栓であって、
前記鍔の反被覆管側の中央部に、軟質の材料からなる筒型のつかみ部が取付けられていることを特徴とする仮端栓である。
【００１７】
本請求項の発明においては、仮端栓は、その胴部が被覆管の内壁に嵌合して差込まれており、またその鍔の反被覆管側は曲面等であるため、つかみ部を利用しない限り被覆管から取外すことは出来ない。しかしながら、つかみ部は薄い軟鋼板やアルミ板のような大きな外力で塑性を伴う変形をしやすい軟質の材料製である。このため、仮端栓を取外すため工具類で筒型のつかみ部をきつく掴めばつかみ部が内側あるいは筒の中心軸側に大きく変形し、完全に弾性回復することがない。その結果、管理者は、既に第三者による仮端栓の不正な取外しがなされていたり、なされようとしていたことに気がつく。
なお、つかみ部のみならず、仮端栓全体をポリエチレン等の軟質材料で製造していても良いのはもちろんである。
【００１８】
また、封印シールとシール機能の原理は同じであるが、第三者による変形したつかみ部の修復を困難にするため、つかみ部内面に変形で壊れたり剥げ落ちたりする非変形性塗料を塗布する等しておいてもよい。
またこの場合には、管理者による取外し後、管理者が再度塗布して、改めてシール機能を持たせることも出来る。
またこれらの際、非変形性塗料を管理者の特注品等として、シール機能をより強化していてもよい。
また、被覆管内に窒素ガスを充填して保管する場合には、内部に侵入してきた空気中の酸素や水分と反応して発色する塗料を仮端栓の胴部外周面や先端に塗布して、品質保証の担保を兼ねて一層のシール機能を付加してもよい。なお、発色剤そのものは、医薬品や食品用の容器の吸湿剤、病人や幼児用の肌着やシーツ等にも使用されている周知技術であるため、説明は省略する。
【発明の効果】
【００１９】
以上の説明で判るように、本発明においては、仮端栓を取外すためには鍵（専用の工具）を必要としたり、仮端栓を第三者が取外せばそのことに管理者が気がつくようにしている。
このため、第三者の故意または過失により保管中の被覆管の仮の端栓が取外されて内部を損傷されたり、最悪の場合破壊活動を受けたりしているのに、管理者がそれらに気がつかないままであるということがなくなる。
これらのため、保管中の被覆管内への第三者による何らかの不具合、不正行為がなされ難く、万が一なされたとしても管理者がそれに気がついて適切な措置をなすため、原子炉の運転中に燃料棒に損傷が発生する等の危険性がなくなる。
【発明を実施するための最良の形態】
【００２０】
以下、本発明をその最良の実施の形態に基づいて説明する。なお、本発明は、以下の実施の形態に限定されるものではない。本発明と同一および均等の範囲内において、以下の実施の形態に対して種々の変更を加えることが可能である。
【００２１】
（第１の実施の形態）
本実施の形態は、仮端栓の取外しに専用の道具（以下、「鍵」と記す）を必要とするものである。
図１は、本実施の形態の仮端栓と鍵の構造を概念的に示す断面図である。本図において、１０は被覆管であり、２０は仮端栓であり、３０は仮端栓を取外すための専用の道具である。
【００２２】
被覆管１０は、まだ内部に燃料ペレットが装荷されていないため、その下部の開口（図示せず）には端栓が溶接で取付けられているが、上部の開口は仮端栓２０が取付けられ、さらに内部には窒素ガスが充填された状態で横置きに保管されている。
【００２３】
仮端栓２０は、被覆管１０内に挿入される胴部２１と被覆管１０の上部端面に引っ掛る鍔２８よりなる。胴部２１は、上部側（図上左方）の外周２２は被覆管１０の内周面に丁度嵌合し、下部側は被覆管１０内に挿入し易いように先細となっている。
鍔２８は、その下部側の端面がちょうど被覆管１０の上部端面に引っ掛る形状であり、これにより被覆管１０内への仮端栓２０の過度の挿入が防止される。また、鍔２８の被覆管１０と反対側の外部は、人の手や通常の道具では容易に掴めないように、球面の一部をなしている。
【００２４】
また、仮端栓２０の被覆管１０と反対側の中心には、仮端栓２０の取外しのために鍵３０を差込むための鍵穴２３が、上下方向（被覆管の長さ方向）に形成されており、さらに鍵穴の水平方向（被覆管の長さ方向に直交する方向）の断面は長方形となっている。そして、この鍵穴２３の奥には、差込まれた鍵３０の先端を引掛けるために水平方向の断面が円形の奥の部屋２４が設けられている。さらに、この奥の部屋２４の直径は、鍵穴２３の水平方向断面がなす長方形の長辺より多少大きめである。
【００２５】
鍵３０は、引掛け部３１と軸部３２と握り部３３よりなる。引掛け部３１は鍵３０の先端にあり、その水平方向断面の形状は仮端栓２０に形成された鍵穴２３の水平方向断面がなす長方形に丁度適合しており、その上下方向の板厚さは前記奥の部屋２４の上下方向の高さより多少小さくなっている。
軸部３２は、水平方向の断面が円であり、その直径は同じく鍵穴２３の短辺の長さより僅かに小さくなっている。さらに、その長さは鍵穴２３の深さより多少長くしてある。
このため、作業者は、この鍵３０の握り部３３を把持して先端の引掛け部３１を矢印で示すように進めて鍵穴２３内に深く挿入させ、その状態で鍵３０全体を９０度回転させて引掛け部３１を前記奥の部屋２４の上部側の面に引掛けることができる。なお、本図の点線は、鍵３０全体を９０度回転させたときの引掛け部３１の側面を示す。さらに、この引掛けた状態で鍵３０を手前に強くひっぱって被覆管１０から仮端栓２０を引抜く、すなわち取外すことが可能になる。
【００２６】
なお、仮端栓や鍵を以上のことが可能な形状とするための製造方法、例えば仮端栓であれば、鍵穴と奥の部屋の部分とを予め砂型で製造して置いてある金属製の型内に樹脂を流し込み、その後砂を除去する、奥の部屋を境に上下を分割して機械加工等で製作した後、ねじ止めや溶着等により一体的な物品として製造すること等があるが、これらは周知技術である。このため、製造方法の説明は省略する。
【００２７】
次に、この仮端栓のシール機能について説明する。
管理者は、鍵３０を自分が常時管理できる状態で保管している。
一方、鍵３０を持たない第三者は、頂部の形状が球面の一部をなし掴みどころがない仮端栓２０を、被覆管１０から取外すことは困難である。特に、胴部２１に接着剤を塗布していたり、ドライアイスを使用した冷やし嵌めがなされたりしていれば、困難どころか不可能である。また、何らかの手段で無理やり取外せば、その際に仮端栓や被覆管に生じた痕跡が明瞭に残るため、管理者は無断で取外されたことに気がつくこととなる。
【００２８】
（第２の実施の形態）
本実施の形態は、先の実施の形態の仮端栓に工夫を凝らして、シール機能をさらに強化したものである。
図２は、本実施の形態の仮端栓の構造を概念的に示す断面図である。図２に、仮端栓の上下方向（被覆管の長さ方向）の断面を示すが、先の実施の形態と同じあるいは基本的に同じ構造や部分については同じ符号を付してその説明を省略する。以下、本実施の形態の特徴的な構造や部分についてのみ説明する。
【００２９】
図２において、２５は円筒形の奥の部屋であり、２６はゴム玉であり、２７はゴム玉用の途中の部屋である。この途中の部屋２７は、鍵穴２３の途中に設けられており、内部にゴム玉２６を格納している。ゴム玉２６は、軟質のゴムで製造されており、その直径は断面が長方形の鍵穴２３の短辺より多少大きめである。奥の部屋２５は、先の実施の形態の奥の部屋２４に比べて部屋の高さ（スペースの被覆管方向の長さ）が大きくされている。このため、ゴム玉２６が奥の部屋２５の内部に押込まれた状態で、鍵穴２３から挿入された鍵３０を、ひいてはその先端の引掛け部３１を内部で９０度回転させることが可能である。
【００３０】
次に、この仮端栓２０のシール機能について説明する。
最初、仮端栓２０が被覆管１０の上部開口に取付けられた時点では、内部のゴム玉２６はゴム玉を設置するため形成された途中の部屋２７に格納されている。
第三者が、不正に取得した鍵３０を使用して仮端栓２０を取外すためには、鍵３０の引掛け部３１が奥の部屋２５の天井に引っ掛るように、鍵穴２３内に鍵３０を深く差込む必要がある。このため、鍵穴２３の中央に位置する途中の部屋２７内に置かれているゴム玉２６は、差込まれてきた鍵３０の引掛け部３１により、矢印で示すようにさらに奥にある奥の部屋２７内へ押込まれることとなる。この状態のゴム玉を、点線で示す。
【００３１】
管理者が、鍵３０を使用して仮端栓２０を被覆管１０から取外そうとしたとき、既に第三者により仮端栓２０の被覆管１０からの取外しと再度の取付けがなされておれば、ゴム玉２６は既に奥の部屋２５内にあるため、鍵３０先端の引掛け部３１は何の抵抗も受けない。このため、鍵３０はスムーズに鍵穴２３内に押込めることとなる。
これにより、管理者は既に第三者により無断で仮端栓の取外しと再度の取付けがなされていたことに気がつくこととなる。
【００３２】
（第３の実施の形態）
本実施の形態は、封印シールを使用するものであり、先の２つの実施の形態の変形あるいは発展型である。
本実施の形態では、先の２つの実施の形態における仮端栓の鍵穴に、さらに市販の封印シールを貼っておくものである。これにより、第三者が仮端栓の取外しのため鍵穴に何か物体を挿入すれば、封印シールの粘着剤がシールから剥がれて貼り付けられた部分に残ったり、シールそのものが粉々になったりする。
【００３３】
このため、管理者は容易に第三者による無断での取外しや一旦取外した後の再度の取付けがなされたことはもちろん、そのような試みがなされたことに気がつくこととなる。
なお、本実施の形態のさらなる発展型として、封印シールの表面に管理者が油性ペンでサインをしておくことや、特注品の封印シールを貼っておくのもよい。これにより、第三者は、仮端栓を再度取付けた後に、取外したのをカムフラージュするために同じ封印シールをしておくことが困難となる。
【００３４】
本実施の形態の変形例として、封印シールを鍔の反被覆管側の外周面と被覆管の外側面とにまたがって貼っておくことが考えられる。さらに、発展型として、念のために鍵穴にも貼っておくことも考えられる。
これらにより、同様のシール機能や一段上のシール機能が得られる。
【００３５】
（第４の実施の形態）
本実施の形態は、仮端栓の取外しのために鍔の頂部に変形しやすいつかみ部（つまみ）を設置しておき、取外されればつかみ部が変形するようにしておくものである。
本実施の形態においても、先の実施の形態と同じあるいは基本的に同じ構造や部分については同じ符号をつけて説明は省略し、本実施の形態の特徴的な部分についてのみ説明する。
図３に、本実施の形態の仮端栓の特徴を概念的に示す。図３の（１）は仮端栓２０が取外される前の状態を側面と上部（反被覆管側）から見た外観図であり、（２）は仮端栓２０が一旦取外された後再度取付けられている状態を側面と上部（反被覆管側）から見た外観図である。図３において、２９は仮端栓２０の鍔２８の頂部にロウ付けされているつかみ部であり、軟鋼製の薄板を筒状に形成して製造されている。そして、仮端栓２０の取外しは、このつかみ部２９を工具で強くつまんで手前に引くことによりなされる。
【００３６】
次に、この仮端栓２０のシール機能を説明する。
このつかみ部２９は、最初、被覆管１０に取付けられた状態では、図３の（１）に示すように完全な筒状である。しかし、軟鋼製の薄板からなる筒状であるため、仮端栓２０を取外す際にペンチ等の工具で大きな力で掴まれると、図３の（２）に示すように大きく変形する。場合によっては、その外周面にペンチでつかまれた傷跡が残ったりもする。また、単なる板状と異なり筒状であるため、つかみ部２９の外周面と工具のつかむ部分との間に鉛板等を介在させてつかみ部２９が変形しないようにしたり、つかみ部２９の外周面に傷がつかないようにしたりすることも困難である。
このため、管理者はつかみ部２９が取付け時のままか否かによって、第三者によって仮端栓２０が無断で取外されたり再度の取付けがなされたりしていることの有無を確実に判断できることとなる。
なお、前記つかみ部２９は鍔２８の頂部にロウ付けされたものであり、形状は筒状であるが、放電加工、スリット加工等により鍔２８の頂部と一体的に製造されていてもよい。形状も、筒状の部分を４分割して一層変形し易くなるようにし、さらに先端を絞った形状として、大きな力で掴まない限り、即ち先端を大きく変形させない限り、工具の掴み部の先端が滑ってしまうので、仮端栓２０を引抜くことが困難であるようにしていてもよい。
【図面の簡単な説明】
【００３７】
【図１】本発明の第１の実施の形態の仮端栓と鍵の構造を、概念的に示す断面図である。
【図２】本発明の第２の実施の形態の仮端栓の構造とシール機能の原理を、概念的に示す断面図である。
【図３】本発明の第４の実施の形態の仮端栓の構造とシール機能の原理を概念的に示す外観図である。
【符号の説明】
【００３８】
１０      被覆管
２０      仮端栓
２１      胴部
２２      上部側の外周
２３      鍵穴
２４      奥の部屋
２５      奥の部屋
２６      ゴム玉
２７      途中の部屋
２８      鍔
２９      つかみ部、鍵
３０      取外し用の道具
３１      引掛け部
３２      軸部
３３      握り部
【図１】
2006258691.tif 000003
【図２】
2006258691.tif 000004
【図３】
2006258691.tif 000005